(57)【特許請求の範囲】
【請求項１】
人工的に形成された斜面または平坦面の保護のために前記斜面または平坦面にこれを被覆するための被覆材料を散布するための装置であって、フレームと、前記フレームに回転可能に支持された、駆動回転される第１のベルト車と、前記フレームに支持手段を介して回転可能にかつ前記第１のベルト車の回転軸線の下方にあって該回転軸線と平行な軸線の周りに揺動可能に支持された第２のベルト車と、第１および第２の両ベルト車に掛けられた、前記被覆材料の供給を受ける環状の無端ベルトと、該無端ベルトの幅方向に互いに間隔をおいて配置されかつ前記フレームに回転可能に支持された一対のベンドローラであって前記無端ベルトの上面に接しかつ前記無端ベルトの下面に向けて押圧する一対のベンドローラとを含む、散布装置。
【請求項２】
各ベンドローラは偏心した周面を有する、請求項１に記載の散布装置。
【発明の詳細な説明】
【０００１】
【発明の属する技術分野】
本発明は、人工的に形成された斜面または平坦面の保護のためにこれを被覆するための被覆材料を前記斜面または平坦面上に散布するための装置に関する。
【０００２】
【従来の技術】
従来、人工的に形成された斜面である法面にその保護層を形成すべく該法面上に土、砂、あるいはこれらと植物の種子、肥料等との混合物からなる被覆材料を散布するための装置として、ベルトコンベヤを使用することが提案されている。
【０００３】
これによれば、前記被覆材料は、これを前記ベルトコンベヤ上に供給しかつ前記ベルトコンベヤを作動させることにより、前記ベルトコンベヤの一端から放出され、これにより、法面上に散布される。
【０００４】
ところで、前記ベルトコンベヤからの被覆材料の放出の際、前記ベルトコンベヤを適当に振り回しあるいは揺り動かして前記被覆材料を法面上に重ねて散布すれば、法面上における前記被覆材料の堆積量を調整しながらほぼ均一な厚さ寸法の保護層を容易に形成することができる。これは、人工的に形成された平坦面上に前記保護層を形成する場合についても同様である。
【０００５】
しかし、実際には、ベルトコンベヤ自体を振り回しまたは揺り動かすことは容易でない。
【０００６】
【発明が解決しようとする課題】
本発明の目的は、人工的に形成された斜面または平坦面上に被覆材料を散布するための装置であって該装置自体を振り回しまたは揺り動かすことなしに前記斜面または平坦面上に前記被覆材料を重ねて散布することができる散布装置を提供することにある。
【０００７】
【課題を解決するための手段】
本発明は、人工的に形成された斜面または平坦面の保護のために前記斜面または平坦面にこれを被覆するための被覆材料を散布するための装置であって、フレームと、前記フレームに回転可能に支持された、駆動回転される第１のベルト車と、前記フレームに支持手段を介して回転可能にかつ前記第１のベルト車の回転軸線の下方にあって該回転軸線と平行な軸線の周りに揺動可能に支持された第２のベルト車と、第１および第２の両ベルト車に掛けられた、前記被覆材料の供給を受ける環状の無端ベルトとを含む。
【０００８】
散布装置は、さらに、前記無端ベルトの幅方向に互いに間隔をおいて配置されかつ前記フレームに回転可能に支持された一対のベンドローラであって前記無端ベルトの上面に接しかつ前記無端ベルトの下面に向けて押圧する一対のベンドローラを含む。また、各ベンドローラは偏心した周面を有するものとすることができる。
【０００９】
【発明の作用および効果】
本発明によれば、第１のベルト車を駆動回転させかつ無端ベルトの上面に被覆材料を供給することにより、第２のベルト車の側において前記無端ベルトから前記被覆材料を空中に放出することができる。
【００１０】
支持手段により前記第１のベルト車の回転軸線と平行な軸線の周りに揺動可能に支持されている前記第２のベルト車は、装置の稼働時、前記被覆材料の供給によって前記無端ベルトが受ける衝撃、各プーリの支持構造により不可避的に生じる振動等により揺動する。これにより前記被覆材料の放出角度が連続的に変化する。このため、前記無端ベルトから放出される前記被覆材料の到達位置が連続的に変化する。このことから、本発明の装置から斜面または平坦面に向けて前記被覆材料を放出することにより、前記斜面または平坦面上に前記被覆材料を重ねて散布することができ、また、これには装置自体を振り回しまたは揺り動かす必要はない。
【００１１】
ところで、前記無端ベルトの回転速度を大きくして、前記無端ベルトからの前記被覆材料の放出速度を大きくすると、前記被覆材料が前記斜面または平坦面により大きい力で衝突し、その一部が前記斜面または平坦面および先に散布された被覆材料層にめり込むことから、これにより、崩壊しにくい保護層を形成することができる。
【００１２】
しかし、前記無端ベルトの回転速度を大きいものに設定するときは、これに供給される前記被覆材料がその慣性のために前記無端ベルト上から振り落とされ、前記被覆材料の散布が不可能となる場合がある。
【００１３】
本発明にあっては、前記無端ベルトの上面を押圧する一対のベンドローラにより前記無端ベルトにその上面からその下面に向けて窪みかつその幅方向へ伸びる湾曲面を形成し、前記湾曲面における前記無端ベルトの回転方向に関する上流側の部分を前記被覆材料のための落下地点に設定する。前記上流側の部分は前記無端ベルトの上面からその下面の側にまた上流から下流の側に向けて湾曲しているため、落下する前記被覆材料の向きおよび速さを前記無端ベルトの回転方向に関するものに転換する。これにより、高速で回転する前記無端ベルトに対する前記被覆材料の相対速度を小さいものにし、前記無端ベルト上からのこれに供給される前記被覆材料の振り落としを防止しまたは振り落とし量を最小限とすることができる。
【００１４】
さらに、偏心した周面を有するベンドローラとすることにより、これに接する前記無端ベルトに対する押圧量を変化させ、該ベルトの長さ寸法を変化させることができ、これにより、前記第２のベルト車をさらに積極的に揺動させることができる。
【００１５】
【発明の実施の形態】
図１を参照すると、人工的に形成された斜面（法面）１２の保護のため、該斜面上にこれを被覆するための被覆材料１４が本発明に係る装置１０を用いて散布されている。本発明の装置１０は、斜面１２のほか、人工的に形成された平坦面、例えば斜面１２に連なる平坦面１６を被覆する場合についても適用可能である。
【００１６】
斜面１２上への被覆材料１４の散布は、斜面１２上に該斜面の浸食や風化を防止するための保護層１８を形成するために行われる。この目的のため、被覆材料１４として、土、砂、これらと植物の種子、肥料等との混合物等からなるものが用いられる。また、保護層１８の補強のため、散布中の砂に、他の装置を用いて合成繊維製の糸を混入することがある。
【００１７】
図２および図３に示すように、被覆材料１４を散布するための散布装置１０は、フレーム２０と、第１のベルト車２２と、第２のベルト車２４と、第１および第２の両ベルト車２２，２４に掛けられた、前記被覆材料の供給を受ける環状の無端ベルト２６とを備える。
【００１８】
図示のフレーム２０は全体に矩形状を呈し、上下方向へ伸びている。フレーム２０は、前記矩形の四辺に沿って配置されかつ互いに連結されたＵ形の薄いまた比較的細幅のプレート２８、互いに相対する一対の厚いまたＵ形のプレート２８と同幅のプレート３０および長円形の外形を有するプレート３２からなる。
【００１９】
Ｕ形のプレート２８は下方に位置し、上方に向けて伸びる両端部を有する。厚肉の両プレート３０はそれぞれ上下方向へ伸び、これらの下端部がそれぞれＵ形プレート２８の両端部に固定されている。また、長円形プレート３２は厚肉の両プレート３０の上端部上に載置されかつ該上端部に固定されている。長円形プレート３２には、フレーム２０の上下方向軸線Ｌと同軸の円形の孔３４が設けられている。
【００２０】
第１のベルト車２２はフレーム２０に回転可能に支持されている。より詳細には、第１のベルト車２２はフレーム２０の上下方向に関するほぼ中間位置にあって、一対の軸受部材３６を介して、フレームの両プレート３０のそれぞれの一方の側部に取り付けられている。
【００２１】
第１のベルト車２２は、その上方位置に配置されかつ一方のプレート３０に固定されたモータ３８を駆動源として、第１のベルト車２２に連なるプーリ３９とモータ３８の駆動軸に取り付けられたプーリ４０とに掛けられた動力伝動ベルト４１を介して、駆動回転される。
【００２２】
これに対し、第２のベルト車２４はフレーム２０が取り巻く空間の外部にあって、支持手段４２を介して、フレーム２０に支持されている。
【００２３】
支持手段４２は、フレーム２０の内部からその外部へ伸びる互いに相対する一対の棒状部材４４と、両棒状部材４４を互いに連結するロッド４６とからなる。
【００２４】
両棒状部材４４はフレームの両プレート３０の下端部にそれぞれ枢着された一端部を有し、これにより、第１のベルト車２２の回転軸線と平行な軸線すなわち両棒状部材４４の枢着点を通る軸線の周りに揺動可能である。また、両棒状部材４４は一対の軸受４８がそれぞれ取り付けられた他端部を有し、第２のベルト車２４が両軸受４８に支承されている。
【００２５】
これにより、第２のベルト車２４は両棒状部材４４を介して第１のベルト車２２より低い高さ位置に回転可能に支持され、また、両棒状部材４４と共に、第１のベルト車２２の回転軸線と平行な軸線すなわち両棒状部材４４の前記枢着点を通る軸線の周りに揺動可能である（揺動方向を示す矢印５６参照）。
【００２６】
また、棒状部材４４の前記枢着点を通る軸線の周りの第２のベルト車２４の揺動半径と、第１のベルト車２２の回転軸線の周りの第２のベルト車２４の回転半径との相違のため、第２のベルト車２４は、装置１０の非稼働時、図示の位置において静止している。また、無端ベルト２６は第１のベルト車２２の側から第２のベルト車２４の側へ下方に向けて傾斜している。無端ベルト２６の傾斜角度は任意に設定するすることができる。また、無端ベルト２６はこれを水平に伸びるように設定してもよい。
【００２７】
連結ロッド４６は、フレームの両プレート３０間をベルト車２２または２４の回転軸線と平行に伸び、かつ、無端ベルト２６の下方においてこれを横断している。図示の例では、連結ロッド４６が無端ベルト２６の下面５０に接しているが、非接触状態としてもよい。
【００２８】
両ベルト車２２，２４に掛けられこれらのベルト車を巡る無端ベルト２６は、第１のベルト車２２を駆動回転することにより、図２で見て時計方向へ駆動回転される。したがって、無端ベルト２６の上面５２に供給された前記被覆材料を第２のベルト車２４の側において、無端ベルト２６から空中に放出することができる。
【００２９】
前記被覆材料の供給は、前記被覆材料をフレーム上部のプレート３２の孔３４を通して無端ベルト２６の上面５２上に投下することにより行うことができる。図示の例では、供給される前記被覆材料を孔３４から無端ベルト２６の上面５２まで案内するためのシュート５４が設けられている。シュート５４は、プレート３２に固定され孔３４と連通する入口と、無端ベルトの上面５２の直上、図示の例では特に後記一対のベンドローラ５６間において開口する出口５５とを有する。
【００３０】
シュート５４内へは、例えばホース（図示せず）を通して、前記被覆材料を送給することができる。
【００３１】
第２のベルト車２４の揺動運動は、装置１０の稼働時、第２のベルト車２４が、無端ベルト２６上への前記被覆材料の投下、駆動側のベルト車２２の振動、モータ３８の振動、各ベルト車２２，２４の支持構造に不可避的に生じる振動等を原因とする外力を受け、かつ、無端ベルト２６の伸張しおよび伸張した状態から元の長さに戻る（収縮する）ことによって生じる。
【００３２】
第２のベルト車２４が揺動すると、無端ベルト２６の上面５２の傾斜角度、すなわち前記被覆材料の放出角度が連続的に変化し、これに伴って、前記被覆材料の到達距離または到達位置が連続的に変化する。このため、斜面１２または平坦面１６上に先に散布した被覆材料の上に重ねて被覆材料を散布することができ、前記被覆材料の重なり厚さを容易に調整することができ、これにより、斜面１２または平坦面１６上に比較的均一な厚さ寸法を有する保護層１８を形成することができる。
【００３３】
好ましくは、無端ベルト２６の回転速度を大きいものに設定し、無端ベルト２６からの前記被覆材料の放出速度を大きいものとする。これによれば、放出された前記被覆材料が斜面１２または平坦面１６上に、また、先に散布された前記被覆材料上に叩き付けられるように散布される。その結果、斜面１２または平坦面１６に対する前記被覆材料の付着強度の高い、したがって崩壊しにくい保護層１８が得られる。
【００３４】
ところで、無端ベルト２６の回転速度を高めると、その上面５２に投下される前記被覆材料が無端ベルト２６から弾き飛ばされまたは振り落とされ、無端ベルト２６からの放出を行うことができない場合がある。これを回避するため、無端ベルトの上面５２に接しかつその下面５０に向けて押圧する一対のベンドローラ５６が設けられている。
【００３５】
両ベンドローラ５６は無端ベルト２６の幅方向に互いに間隔をおいて配置されかつ軸５７により互いに連結されており、それぞれ、一対の軸受５８を介して、第１のベルト車２２の回転軸線と平行な軸線の周りに回転可能であるようにフレーム２０の両プレート３０の他の側部に固定されている。
【００３６】
両ベンドローラ５６は、無端ベルト２６に、その上面５２からその下面５０に向けて窪みかつ無端ベルト２６の幅方向へ伸びる円筒面の一部からなる湾曲面６０を形成する。
【００３７】
この湾曲面６０のうち、無端ベルト２６の回転方向（上面５２の移動方向）に関する上流側の部分６２を前記被覆材料の落下地点（供給地点）に定める。上流側の部分６２は、無端ベルト２６の上面５２からその下面５０の側に、また、前記回転方向に関する上流の側から下流の側に向けて湾曲しているため、落下する前記被覆材料の向きおよび速さを無端ベルト２６の回転方向に関するものに転換する。これにより、高速で回転する無端ベルト２６に対する前記被覆材料の相対速度を小さいものにし、無端ベルト２６の上面５２上に供給された前記被覆材料の該上面からの振り落としを防止しまたは振り落とし量を最小限とすることができる。
【００３８】
上流側の部分６２は、これに上方から（図示の例ではシュートの出口５５から）落下する前記被覆材料が接すると、前記被覆材料の向きおよびその速度を前記無端ベルトの回転方向およびその速度に近付けることができ、これにより、高速で回転する前記無端ベルトに対する前記被覆材料の相対速度を小さいものにし、前記無端ベルト上からのこれに供給される前記被覆材料の振り落としを防止しまたは最小限とすることができる。
【００３９】
好ましくは、両ベンドローラ５６が、第１のベルト車２２に対して前記無端ベルトを介して接するように配置することが望ましい。これによれば、湾曲面の上流側の部分６２をより鉛直に近付けること、すなわち、上流側の部分６２における無端ベルト２６の移動方向（回転方向）を前記被覆材料の落下方向に近付け、これにより、前記被覆材料の落下方向の転換および落下速度を低減を少なくし、大きい初速度をもって前記被覆材料を無端ベルト２６上に供給することができる。
【００４０】
さらに、両ベンドローラ５６について、これらの周面の一部が偏心しているものとすることができる。ただし、偏心の程度は互いに同一でありかつ偏心部分は互いに相対しているものとする。例えば、各ベンドローラ５６の周面の半周分６４が残りの半周分より小径であるものとし、また、例えば、直径方向に関する一点から他の一点までの両半周分の半径がそれぞれ同じ割合で漸減または漸増するもの（図示せず）とすることができる。
【００４１】
偏心部分を設けることにより、両ベンドローラ５６が一回転する間、該ベンドローラから無端ベルト２６に及ぼされる押圧力に変化を生じさせ、これにより、無端ベルト２６に規則的な伸縮を生じさせ、これにより、第２のベルト車２４を揺動させ、前記被覆材料の規則的な散布の繰り返しを行うことができる。
【００４２】
散布装置１０は、他のフレーム６５を介して、土木作業用機械である例えばバックホー６６のバケットを取り外したアーム６８の先端に取り付け、アーム６８を操作することにより、斜面１２または平坦面１６上に支持し、これらに沿って移動することができる。
【００４３】
他のフレーム６５は、これをバックホーのアーム６８に取り付けるために用いられる、互いに相対する一対のブラケット７０を有する。
【００４４】
図示の例では、散布装置１０が、その軸線Ｌの周りに回転可能（回転方向を示す矢印７２参照）であるように、他のフレーム６５に支持されている。
【００４５】
このため、散布装置１０には、そのフレームの下部を構成するＵ形プレート２８の底部の中央部分に下方へ向けて突出する軸部材７４が取り付けられ、かつ、フレーム２０の上部を構成するプレート３２上にその孔３４の直径と同じ内径を有する円筒部材７６が孔３４と同軸的に配置されかつ固定されている。
【００４６】
他方、他のフレーム６５には、その下部に、軸部材７４を回転可能に受け入れる凹部７８が設けられたプレート８０が位置され、また、その上部に、互いに交差しかつ互いに固定された、円筒部材７６の外周面が内接する矩形の筒面８１を規定する互いに平行な２対の山形部材８２，８４が配置されている。
【００４７】
軸部材７４、円筒部材７６、凹部７８および筒面８１は軸線Ｌを共通の軸線としており、フレーム６５に対して装置１０を軸線Ｌの周りに回転させることができる。
【００４８】
装置１０は図示の状態から軸線Ｌの周りに１８０度回転させることにより、装置１０における前記被覆材料の放出端を、図１で見て、右方側から左方側に変更することができる。
【００４９】
前記放出端を図１に示すように左方側に設定するときは、前記被覆材料の散布上、装置１０を斜面１２に沿ってその下部からその上部に向けて移動するのに便利である。逆に、前記放出端を右方側に設定するときは、装置１０を斜面１２に沿ってその上部からその下部に向けて移動するのに便利である。
【図面の簡単な説明】
【図１】本発明の散布装置を使用して被覆材料を法面上に散布している状態を示す概略図である。
【図２】散布装置の側面図である。
【図３】散布装置の正面図である。
【図４】散布装置の平面図である。
【符号の説明】
１０  散布装置
１２，１６  斜面および平坦面
１４  被覆材料
１８  保護層
２０  フレーム
２２，２４  第１および第２のベルト車
２６  無端ベルト
４２  支持手段
【図１】
0004128284.tif 000002
【図２】
0004128284.tif 000003
【図３】
0004128284.tif 000004
【図４】
0004128284.tif 000005